(57)【要約】      （修正有）【課題】アンテナにしっかりとした固定力を持たせるよう十分なトルクを有する、アンテナを備えた同軸ケーブルのオスコネクタを提供する。【解決手段】アンテナはアンテナ接続頭部を含み、その内部に第１収納孔と第２収納孔を有し、同軸ケーブルのオスコネクタは、末端延伸部分がアンテナ接続頭部の第１収納孔に挿入して緊密に結合するコネクタ本体を備えたコネクタユニットと、コネクタ本体の末端延伸部分とアンテナ接続頭部の第２収納孔の間に取付けられ、アンテナにしっかりとした固定力を持たせるリングを含む。【選択図】図２
0003159927.tif 000002
【実用新案登録請求の範囲】
【請求項１】
メスジョイントを備えた電子装置に機械的並びに電気的に接続するのに用い、アンテナはアンテナ本体とアンテナ接続頭部を備え、前記アンテナ接続頭部の内部には第1収納孔と第２収納孔を有し、これらの間に階段状部を形成する、アンテナを備えた同軸ケーブルのオスコネクタであって、
固定部材と前記固定部材内に取付けて末端延伸部分を露出させたコネクタ本体を備え、前記コネクタ本体の末端延伸部分は前記アンテナ接続頭部の第1収納孔に挿入して緊密に結合させ、前記コネクタ本体の末端延伸部分にＯリングを嵌設して、前記Ｏリングを固定部材とアンテナ接続頭部の間に挟持するコネクタユニットと、
前記コネクタ本体の末端延伸部分とアンテナ接続頭部の間に取付けられ、前記アンテナにしっかりとした固定力を持たせるリングと、
を含むことを特徴とするアンテナを備えた同軸ケーブルのオスコネクタ。
【請求項２】
前記リングは前記アンテナ接続頭部の第２収納孔に取付けられることを特徴とする請求項1に記載のアンテナを備えた同軸ケーブルのオスコネクタ。
【考案の詳細な説明】
【技術分野】
【０００１】
本考案はリングをコネクタ本体とアンテナの間に取付け、アンテナにしっかりとした固定力を持たせるよう十分なトルクを提供することができるアンテナを備えた同軸ケーブルのオスコネクタに関する。
【背景技術】
【０００２】
信号伝送の運用面において信号を伝達する同軸ケーブルについては、通常接続地点間の距離、信号周波数、必要な最大湾曲半径及び特定の伝送並びに/又は受信装置内の許容されるスペースによって選んで使用する基準が決まる。一般的に、過多な信号のロスを防ぐために、使用される同軸ケーブルが長いほど周波数が高く、より大きな外径を必要とする。例えばケーブルテレビ、ブロードバンド情報及びマイクロ波信号の伝送等に応用される従来の同軸ケーブルの伝送距離は５０〜１，０００フィートの範囲で、外径は０．２５〜１インチである。室内の伝送距離のニーズが短い設備（約６〜２４インチ）では、外径が０．１〜０．１４インチ等の小さい同軸ケーブルを使用することによって、狭いスペースや湾曲半径といった制限を克服することができる。こうした小さい外径の同軸ケーブルには、ＳＭＡ、ＳＭＢ、ＭＣＸ等のような精確なマイクロコネクタを使用する必要がある。
【０００３】
ＳＭＡ型のコネクタについては、アンテナを備えた受信又は受送信の電子装置に接続しなければならない。一般にはアンテナを備えたセットトップボックス（例：オーディオ、チューナー、受信機、ブロードバンドルーター等）は使用時に環境に応じてアンテナ角度を受信信号が最も安定するまで調整する必要がある。図１Ａ、図１Ｂに示すように、従来のＳＭＡ型のコネクタ１０はコネクタの前端にあって受信又は受送信装置のネジ山のインターフェイスアダプタに結合することができる固定部材１１と、固定部材１１内に配置されて同軸方式で同軸ケーブルを収納するためのコネクタ本体１２とを備え、このコネクタ本体１２とアンテナ１４のアンテナ接続頭部１５の間はＯリング１３で相互にトルクを提供し、コネクタ本体１２の外壁表面には刻み１２ａと環形状フック１２ｂを備えてアンテナ接続頭部１５とで締まりばめとなる。
【考案の概要】
【考案が解決しようとする課題】
【０００４】
ユーザーが受信角度を調整しようとしてアンテナ１４を回動させると、これと同時にコネクタ本体１２とＯリング１３を、受信した信号が安定するまで回動させるが、アンテナ１４が矢印Ａ方向のような側面の推力を受けると、アンテナ接続頭部１５とコネクタ本体１２の間に間隙が生じ、この間隙によってＯリング１３がコネクタ本体１２とアンテナ接続頭部１５の間に十分なトルクを提供することができないことから、アンテナ１４の位置決め効果が低下して、この間のトルク不足を来たすものであり、これを克服しなければならない。
【０００５】
これまでに述べたことをまとめると、アンテナがある角度で効果的に位置決めできるように、アンテナが側面の推力を受けてもなお充分なトルクを提供することが可能な構造が必要である。
【０００６】
本考案の主な目的はコネクタ本体とアンテナ接続頭部との間にリングを取付け、アンテナにしっかりとした固定力を持たせるよう十分なトルクを提供することにある。
【課題を解決するための手段】
【０００７】
上記の目的と効果を達するため、本考案に係るアンテナを備えた同軸ケーブルのオスコネクタは、メスジョイントを備えた電子装置に機械的並びに電気的に接続するのに用いることができ、アンテナはアンテナ接続頭部を含み、その内部に第1収納孔と第２収納孔を有し、同軸ケーブルのオスコネクタは、末端延伸部分がアンテナ接続頭部の第1収納孔に挿入して緊密に結合するコネクタ本体を備えたコネクタユニットと、コネクタ本体の末端延伸部分とアンテナ接続頭部の第２収納孔の間に取付けられて締まりばめによって連結させ、側面から推された際にアンテナにしっかりとした固定力を持たせることができる。
【図面の簡単な説明】
【０００８】
【図１Ａ】従来のアンテナを備えた同軸ケーブルのオスコネクタの分解図である。
【図１Ｂ】従来のアンテナを備えた同軸ケーブルのオスコネクタの断面図である。
【図２】本考案に係るアンテナを備えた同軸ケーブルのオスコネクタの断面図である。
【図３】本考案に係るアンテナを備えた同軸ケーブルのオスコネクタの斜視図である。
【図４】本考案に係るアンテナを備えた同軸ケーブルのオスコネクタが電子装置のメスジョイントに結合する。
【考案を実施するための形態】
【０００９】
以下、本考案の実施形態を図面に基づいて説明する。図２、図３は本考案に係るアンテナを備えた同軸ケーブルのオスコネクタ２０の断面図と分解斜視図であり、このうち、アンテナ４０はアンテナ本体４０とアンテナ接続頭部４２を備え、このアンテナ接続頭部４２の内部は第１収納孔４３と第２収納孔４４と定義し、第１収納孔４３と第２収納孔４４の間に階段状部４５を形成する。同軸ケーブルのオスコネクタ２０はコネクタユニット２１とリング３０を含む。
【００１０】
コネクタユニット２１は電子装置５０のメスジョイント５１（図４参照）に結合するための固定部材２２と、固定部材２２内に取付けてアンテナ接続頭部４２の第１収納孔４３内に挿入が可能な末端延伸部分２３ａを露出させ、この末端延伸部分２３ａの外壁面の刻み２４と第１収納孔４３の内壁面とを接触させて緊密に結合させるコネクタ本体２３を含む。コネクタ本体２３の末端延伸部分２３ａに、アンテナ接続頭部４２と固定部材２２の間にあるＯリング２５を嵌設し、コネクタユニット２１とアンテナ４０が組み立てられて結合されると、Ｏリング２５は圧力によって変形して同軸ケーブルのオスコネクタ２０とアンテナ３０の間に充分なトルクを提供する。
【００１１】
本考案の主な設計の特徴は、リング３０をコネクタ本体２３の末端延伸部分２３ａとアンテナ接続頭部４２の第２収納孔４４の間に取付け、リング３０の内壁面と末端延伸部分２３ａの外壁面を緊密に結合するが、その間は締まりばめとなるよう結合すると共に、リング３０の前端面３１とアンテナ接続頭部４２の階段状部４５を密着させ、アンテナ４０のアンテナ本体４１が矢印Ａ方向のような側面の推力を受けると、リング３０はしっかりとした固定力を提供することができ、コネクタ本体２３とアンテナ接続頭部４２の間に間隙が生じない。
【００１２】
図４に示すように、コネクタユニット２１とアンテナ４０を結合し終えると、固定部材２２を電子装置５０のメスジョイント５１に結合させて機械的及び電気的に接続することができる。この場合、アンテナ４０は適度な角度に調整して伝達信号を受信したり発信したりすることができる。
【００１３】
以上、本考案の実施形態について図面を参照して詳述したが、具体的な構成はこの実施形態に限られるものではなく、本発明の要旨を逸脱しない範囲の設計変更等も含まれる。
【符号の説明】
【００１４】
２０  アンテナを備えた同軸ケーブルのオスコネクタ
２１  コネクタユニット
２２  固定部材
２３  コネクタ本体
２３ａ  末端延伸部分
２４  刻み
２５  Ｏリング
３０  リング
３１  前端面
４０  アンテナ
４１  アンテナ本体
４２  アンテナ接続頭部
４３  第1収納孔
４４  第２収納孔
４５  階段状部
５０  電子装置
５１  メスジョイント
【図１Ａ】
0003159927.tif 000003
【図１Ｂ】
0003159927.tif 000004
【図２】
0003159927.tif 000005
【図３】
0003159927.tif 000006
【図４】
0003159927.tif 000007